(57)【要約】【課題】  頭髪の梳き始めの個所や、頭髪の表面に多量の整髪料や染毛料等が塗り付けられてしまうことがなく、しかも頭髪を保護したり、潤いのあるものにして、頭髪を傷めたり、頭髪がぱさついたりすることない頭髪用塗布具を提供する。【解決手段】  塗布具本体１の頭髪と接する部分に、液状体を適量保持でき、その液状体が適量滲み出し頭髪に満遍なく塗布できる液状保持体２を設けたものとしている。そして、前記液状体をアミノ酸を含むものとすることができる。さらに、前記液状保持体２を獣毛のブリッスルとし、液状体をアミノ酸を含むものとすることができる。【選択図面】    図１【実用新案登録請求の範囲】
【請求項１】
塗布具本体（１）の頭髪と接する部分に、液状体を適量保持でき、その液状体が適量滲み出し頭髪に満遍なく塗布できる液状保持体（２）を設けたことを特徴とする頭髪用塗布具。
【請求項２】
前記液状体をアミノ酸を含むものとしたことを特徴とする請求項１記載の頭髪用塗布具。
【請求項３】
前記液状保持体（２）を獣毛のブリッスルとし、液状体をアミノ酸を含むものとしたことを特徴とする請求項１記載の頭髪用塗布具。
【考案の詳細な説明】
【技術分野】
【０００１】
この考案は、整髪料や染毛料、保湿剤、保護剤、育毛剤等の液状体を頭髪に満遍なく塗り付けるのに適した頭髪用塗布具に関するものである。
【背景技術】
【０００２】
従来、この種の頭髪用塗布具としては、例えば図９、１０に示したように、塗布具本体１１の頭髪接触部１２に整髪料や染毛料等の収容凹部１３を設けたものとしており、前記頭髪接触部１２を櫛歯１２ａとし、前記収容凹部１３を櫛歯１２ａの長さ方向に沿った長溝１３ａなどとして、この収容凹部１３を頭髪接触部１２の外側面に設けたものが存在する（特許文献１）。
【０００３】
この従来の頭髪用塗布具は、クリーム状、ムース状、ゼリー状、ワックス状などの液状でない整髪料や染毛料等の適量を、頭髪接触部１２に設けた収容凹部１３に収容する。このようにしてから、従来の頭髪用塗布具と同様に頭髪を梳き、収容凹部１３に収容した整髪料や染毛料等を頭髪に塗り付ける。
【特許文献１】特開平１０−２７６８３０号（第１頁、図１、２）
【考案の開示】
【考案が解決しようとする課題】
【０００４】
しかしながら、上記従来の頭髪用塗布具は、整髪料や染毛料等が収容凹部１３に収容されているため、頭髪との接触によってもその収容凹部１３からすぐには出にくくしているものの、収容凹部１３から直接、頭髪に接触させるようにしているので、頭髪の梳き始めの個所や、頭髪の表面に多量の整髪料や染毛料等が塗り付けられてしまうことがあるという問題点を有していた。
【０００５】
さらに、上記従来の頭髪用塗布具は、液状の整髪料や染毛料等を用いることはできず、クリーム状、ムース状、ゼリー状、ワックス状などの液状でない整髪料や染毛料等しか使用することができないという問題点を有していた。
【０００６】
また、上記従来の頭髪用塗布具は、頭髪を保護したり、潤いのあるものにするということに関しては、特に改良がなされていなかったので、頭髪を傷めたり、頭髪がぱさついたりすることがあるという問題点を有していた。
【０００７】
そこで、この考案は、上記従来の問題点を解決することをその課題としており、頭髪の梳き始めの個所や、頭髪の表面に多量の整髪料や染毛料等が塗り付けられてしまうことがなく、しかも頭髪を保護したり、潤いのあるものにして、頭髪を傷めたり、頭髪がぱさついたりすることない頭髪用塗布具を提供することを目的としてなされたものである。
【課題を解決するための手段】
【０００８】
そのため、この考案の頭髪用塗布具は、塗布具本体１の頭髪と接する部分に、液状体を適量保持でき、その液状体が適量滲み出し頭髪に満遍なく塗布できる液状保持体２を設けたものとしている。
【０００９】
そして、この考案の頭髪用塗布具は、前記液状体をアミノ酸を含むものとすることができる。
【００１０】
さらに、この考案の頭髪用塗布具は、前記液状保持体２を獣毛のブリッスルとし、液状体をアミノ酸を含むものとすることができる。
【考案の効果】
【００１１】
この考案の頭髪用塗布具は、以上に述べたように構成されているので、頭髪の梳き始めの個所や、頭髪の表面に多量の液状体が塗り付けられてしまうことがなくなる。
【００１２】
さらに、この考案の頭髪用塗布具は、液状体をアミノ酸を含むものとした場合には、ヘアカラー、ブリーチなどで傷んた頭髪を、アミノ酸の保湿力で潤いのあるものにすることができる。
【００１３】
また、この考案の頭髪用塗布具は、液状保持体２を獣毛のブリッスルとし、液状体をアミノ酸を含むものとした場合には、ブラッシングし易いものとなり、ブラッシングするたびに液状保持体からアミノ酸を含む液状体が滲み出し、これら液状体の作用で、ヘアカラー、ブリーチなどで傷んた頭髪を保護したり、潤いのあるものにすることができる。
【考案を実施するための最良の形態】
【００１４】
以下、この考案の頭髪用塗布具を実施するための最良の形態を、図面に基づいて詳細に説明する。
【００１５】
この考案の頭髪用塗布具は、図１、２に示したような櫛製品としたり、図３〜８に示したようなブラシ製品として実施することができる。何れの製品とした場合でも、この考案の頭髪用塗布具は、塗布具本体１の頭髪と接する部分に、液状体を適量保持でき、その液状体が適量滲み出し頭髪に満遍なく塗布できる液状保持体２を設けたものとしている。
【００１６】
図１、２に示したような櫛製品では、塗布具本体１の略前半分を頭髪梳き材３の突設部４とし、塗布具本体１の略後半分を把持部５としている。前記液状保持体２は、長尺薄板状体としたものの略上半部を頭髪梳き材３である複数本の櫛歯の間に突出させ、略下半部を突設部４に埋め込むことにより、その一部を突出させて設けたものとしている。
【００１７】
図３〜８に示したようなブラシ製品においても、塗布具本体１の略前半分を頭髪梳き材３の突設部４とし、塗布具本体１の略後半分を把持部５としている。前記液状保持体２は、図３〜６に示したものでは、長尺棒状体としたものを、その略上半部を突設部４に突出させて、頭髪梳き材３である複数本のブラシ毛の隙間に配置し、略下半部を突設部４に埋め込んだものとしている。図３〜５に示したものは、前記液状保持体２を突設部４の長手方向中央に一条設けたものとしている。図６に示したものは、前記液状保持体２を突設部４の長手方向両端に二条設けたものとしている。また、前記液状保持体４は、図７に示したものでは、長尺シート状体としたものを、突設部４に貼り付け、頭髪梳き材３である複数本のブラシ毛をこの液状保持体２から突き出したものとしている。図８に示したものは、前記液状保持体２を頭髪梳き材３である複数本のブラシ毛とし、このブラシ毛を獣毛のブリッスルとしている。このようにすれば、ブラッシングするたびに、液状保持体２と頭髪とが自然に接触するようになる。
【００１８】
さらに、この考案の頭髪用塗布具は、図示していないが、塗布具本体１を二つ折りにして、前記突設部４と把持部５が重なり合うようにし、嵩の低いものとすることにより携帯に便利なようにしてもよい。
【００１９】
前記液状体は、頭髪に塗布するためのものであり、整髪料、染毛料、保湿剤、保護剤、育毛剤、養毛剤、くせ毛直し剤、枝毛防止剤、清涼剤、紫外線カット剤、艶出し剤、消臭剤、コーティング剤などとすることができ、これらの原材料としては、アミノ酸、つばき油、オリーブ油、ホホバ油、オレンジ油、ラベンダー油、ウィキョウ油、チョウジ油、パルミチン酸オクチル、ラウロイルグルタミン酸ジ（フィトステリル／オクチルドデシル）、トコフェロール、ＤＰＧ、水、ジメチコンコポリオール、ＰＣＡインステアリン酸グリセレス−２５、クエン酸、ＰＣＡ−Ｎａ、メチルパラベン、プロピルパラベン、ポリフェノール、植物エキス、香料などを挙げることができるが、これらに限定されるものではない。なお、前記液状体をアミノ酸を含むものとした場合には、ヘアカラー、ブリーチなどで傷んた頭髪を、アミノ酸の保湿力で潤いのあるものにすることができる。
【００２０】
前記液状保持体２は、上記液状体を保持し得ると共に保持した液状体が滲み出すような素材からなり、具体的には、多孔性の樹脂であるポアフロン（住友電気工業製）や不織布などが使用される。ポアフロンとしては、気孔率６０〜９０％の四フッ化エチレン樹脂材とするものを用いるのが好ましい。この液状保持体２に前記液状体が予め保持されている。なお、液状保持体２の材質としては、前記ポアフロンや不織布以外にも、スポンジ、織布、または多孔質のウレタン等の樹脂としてもよい。
【００２１】
以上のように構成したこの考案の頭髪用塗布具によれば、頭髪を梳いたり、ブラッシングをスムースに行うことができると共に、液状保持体２に保持された液状体を頭髪に満遍なく塗布できる。
【図面の簡単な説明】
【００２２】
【図１】この考案の頭髪用塗布具の一実施形態を示す側面図である。
【図２】図１中のＡ−Ａ線によるこの考案の頭髪用塗布具の断面図である。
【図３】この考案の頭髪用塗布具の他の実施形態を示す平面図である。
【図４】図３に示すこの考案の頭髪用塗布具の横断面図である。
【図５】図４中のＢ−Ｂ線によるこの考案の頭髪用塗布具の断面図である。
【図６】この考案の頭髪用塗布具のさらに他の実施形態における図４中のＢ−Ｂ線位置で同様に切断した断面図である。
【図７】この考案の頭髪用塗布具のさらに他の実施形態における図４中のＢ−Ｂ線位置で同様に切断した断面図である。
【図８】この考案の頭髪用塗布具のさらに他の実施形態における図４中のＢ−Ｂ線位置で同様に切断した断面図である。
【図９】従来の頭髪用塗布具の一例を示す一部省略斜視図である。
【図１０】図９に示す従来の頭髪用塗布具の頭髪接触部を拡大した部分斜視図である。
【符号の説明】
【００２３】
１  塗布具本体
２  液状保持体
【図１】
0003103404.tif 000002
【図２】
0003103404.tif 000003
【図３】
0003103404.tif 000004
【図４】
0003103404.tif 000005
【図５】
0003103404.tif 000006
【図６】
0003103404.tif 000007
【図７】
0003103404.tif 000008
【図８】
0003103404.tif 000009
【図９】
0003103404.tif 000010
【図１０】
0003103404.tif 000011